(57)【要約】【課題】  加圧機器や空気ノズルを用いることなく浮上分離処理を実施できるようにする。【解決手段】  円筒状の外周電極５ａと、その軸心位置に配した中心電極５ｂとの間に流路２５を備えたノズル２２を形成する。浮上分離槽４の被処理水入口４ａに、ノズル２２を設置して、ボイラ１の燃焼排ガス２を水洗浄することで生じる洗浄排水３を予め沈殿槽１２で沈降分離処理した後の沈降分離処理水３ａを導く沈降分離処理水回収ライン１７を接続する。外周電極５ａと中心電極５ｂに電源を接続する。沈降分離処理水３ａをノズル２２の流路２５を通して浮上分離槽４へ流入させるときに、電源６より高速高電圧パルスを印加する両電極５ａ，５ｂ間で高速パルス放電を行わせることで、浮上分離槽４に流入する沈降分離処理水３ａ中に微小気泡７を発生させ、この微小気泡７により、浮上分離槽４に貯留された沈降分離処理水３ａ中の懸濁物を浮上分離させる。【選択図】図１
2010012386.tif 000002
【特許請求の範囲】
【請求項１】
浮上分離槽に貯留させる被処理水、又は、浮上分離槽に貯留している被処理水に対して高速パルス放電を行うことで該被処理水中に微小気泡を発生させ、該微小気泡により上記被処理水中の懸濁物を浮上分離させるようにすることを特徴とする排水の処理方法。
【請求項２】
浮上分離槽の所要個所に、該浮上分離槽に貯留する被処理水に没する一組又は複数組の電極対を設け、且つ上記電極対に所要の高速高電圧パルスを印加する電源を備えて、該電源より所要の高速高電圧パルスを印加する上記電極対の間で高速パルス放電を行わせるようにして、上記被処理水中に微小気泡を発生させることができるようにした構成を有することを特徴とする排水の処理装置。
【請求項３】
電極対を設ける位置を、浮上分離槽における被処理水入口における被処理水の流路を挟む位置とした請求項２記載の排水の処理装置。
【発明の詳細な説明】
【技術分野】
【０００１】
本発明は、排水中に含まれる懸濁物を除去するための排水の処理方法及び装置に関するもので、特に、各種プラントで発生するタール等を懸濁物として含んだ排水を処理するのに適した排水の処理方法及び装置に関するものである。
【背景技術】
【０００２】
プラントの化学プロセスではタールを含んだ排水（廃液）が発生することがある。又、石炭焚きやオイル焚きのボイラや排ガス処理プラントでは、燃焼排ガスをスプレー塔等で水洗浄して、該燃焼排ガス中に含まれているタール分を除去することが行われており、この場合、上記スプレー塔等で燃焼排ガスの水洗浄に使用された後の洗浄排水には、タールが含まれている。
【０００３】
上記のようなタールを含んだ排水は、排出基準を満たすレベルになるまで排水中に含まれているタールの除去処理を行う必要がある。なお、上記タールを含んだ排水中では、通常、タールは懸濁状態となっている。
【０００４】
ところで、水中に浮遊している油脂や懸濁している有機物等の水中の懸濁物を除去するための固液分離手法の１つとして、加圧浮上分離処理が知られている。
【０００５】
これは、被処理水に、予め、加圧ポンプで加圧された水にコンプレッサーで圧縮した圧縮空気を加圧下で溶解させて製造してなる加圧空気溶解水を混合し、この加圧空気溶解水が常圧に戻されるときに溶解していた空気が気化して微小な気泡となることを利用して、上記被処理水中に微小な気泡を発生させて、該被処理水中の懸濁物の浮上分離を行わせるようにしたものである。
【０００６】
又、被処理水に、予め分離対象物を吸着する凝集剤を添加し、その後、該凝集剤が添加された被処理水に対して上記と同様の加圧浮上分離処理を行なうことで、上記分離対象物を、該分離対象物を吸着すると共に凝集した凝集剤と一緒に浮上分離させるようにした凝集加圧浮上分離処理も知られている（たとえば、特許文献１参照）。
【０００７】
更に、分離槽に貯留した被処理水に、空気ノズルより気泡を直接吹き込んで該被処理水中の懸濁物を浮上させて分離するという単純な形式の浮上分離処理も広く一般的に知られている。
【０００８】
【特許文献１】特開平１０−２１１４９９号公報
【発明の開示】
【発明が解決しようとする課題】
【０００９】
ところが、上記加圧浮上分離処理及び上記凝集加圧浮上分離処理を行なうためには、加圧下で水に空気を溶解させてなる加圧空気溶解水を製造する必要があることから、該加圧空気溶解水の製造容器となる加圧タンクと、該加圧タンクへ水を供給するための加圧ポンプと、加圧容器へ空気を圧縮して供給するためのコンプレッサーが必要とされ、更には、上記加圧ポンプで加圧された水や、コンプレッサーで圧縮された空気を上記加圧容器へ供給するための配管、及び、加圧容器で製造した加圧空気溶解水を被処理水へ供給混合させるための配管として、圧力配管も必要となる。よって、装置を構成する機器の点数が多くなると共に、装置の構成が複雑化し、大型化し、更にコストが嵩むという問題がある
更に、電力でコンプレッサーを運転して空気を加圧し、この加圧された空気を加圧下で水に溶解させ、その後、大気圧に戻すことで、上記加圧水に溶解されていた空気を気化させて微小な気泡を発生させるようにしてあるため、電力を用いて上記微小な気泡を発生させる効率が低いという問題があると共に、被処理水中で発生させる微小な気泡の発生量の制御性が低いという問題もある。
【００１０】
一方、分離槽に貯留した被処理水に対し、ノズルを用いて細かい気泡を直接吹き込む浮上分離処理であれば、上記のような加圧タンクや加圧ポンプ、コンプレッサー、加圧配管は不要になると考えられるが、一般に、ノズルを用いて発生させる気泡は、上記加圧浮上分離処理で発生させる気泡よりも大きいため、分離効率が低いという問題があり、しかも、被処理水中の懸濁物がタールのような付着性を有する物質である場合は、空気ノズルが懸濁物によって詰まる虞が懸念される。更に、空気ノズルの摩耗も生じるため、空気ノズルの頻繁な交換が必要になるという問題もある。
【００１１】
そこで、本発明は、上記加圧浮上分離で要するような加圧タンクやその他の加圧用機器を不要にできると共に、被処理水に空気を吹き込むための空気ノズルを用いることなく、被処理水中に微小な気泡を発生させて懸濁物の浮上分離を行って、該懸濁物の含有量の低減された処理水を得ることができ、しかも、上記浮上分離を行うために被処理水中に分散させる微小な気泡の発生効率を高めることができると共に、該微小な気泡の発生量の制御性を高めることができる排水の処理方法及び装置を提供しようとするものである。
【課題を解決するための手段】
【００１２】
本発明は、上記課題を解決するために、請求項１に対応して、浮上分離槽に貯留させる被処理水、又は、浮上分離槽に貯留している被処理水に対して高速パルス放電を行うことで該被処理水中に微小気泡を発生させ、該微小気泡により上記被処理水中の懸濁物を浮上分離させるようにする排水の処理方法とする。
【００１３】
又、請求項２に対応して、浮上分離槽の所要個所に、該浮上分離槽に貯留する被処理水に没する一組又は複数組の電極対を設け、且つ上記電極対に所要の高速高電圧パルスを印加する電源を備えて、該電源より所要の高速高電圧パルスを印加する上記電極対の間で高速パルス放電を行わせるようにして、上記被処理水中に微小気泡を発生させることができるようにした構成を有する排水の処理装置とする。
【００１４】
更に、上記構成において、電極対を設ける位置を、浮上分離槽における被処理水入口における被処理水の流路を挟む位置とした構成とする。
【発明の効果】
【００１５】
本発明によれば、以下のような優れた効果を発揮する。  
（１）浮上分離槽に貯留させる被処理水、又は、浮上分離槽に貯留している被処理水に対して高速パルス放電を行うことで該被処理水中に微小気泡を発生させ、該微小気泡により上記被処理水中の懸濁物を浮上分離させるようにする排水の処理方法、及び、浮上分離槽の所要個所に、該浮上分離槽に貯留する被処理水に没する一組又は複数組の電極対を設け、且つ上記電極対に所要の高速高電圧パルスを印加する電源を備えて、該電源より所要の高速高電圧パルスを印加する上記電極対の間で高速パルス放電を行わせるようにして、上記被処理水中に微小気泡を発生させることができるようにした構成を有する排水の処理装置としてあるので、電極対間での高速パルス放電により被処理水中に発生させる微小気泡により、該被処理水中の懸濁物の浮上分離を行うことができるため、浮上したスカムを分離除去することで、上記浮上分離槽より懸濁物が分離除去されて清浄化された水を回収することができるようになる。  
（２）したがって、加圧浮上分離処理を行なう場合に必要とされていた、加圧タンクやその他の加圧用機器を不要にでき、又、浮上分離処理を行なう際に懸濁物の付着による詰まりや摩耗が懸念されていた空気ノズルも不要にすることができる。  
（３）しかも、上記電極対の間で高速パルス放電を行うと、該高速パルス放電が水分中のＯＨに作用して、少量のＯＨラジカルやオゾンの微小バブルを、各電極の表面と、それに接触している液体面との間で生じさせることができるため、被処理水中の懸濁物がタールのような付着性を有するものであっても、上記電極対を形成している各電極が懸濁物の付着の影響を受ける虞を抑制することができる。  
（４）更に、上記電極対に高速高電圧パルスを印加して発生させる高速パルス放電という電気放電によって微小気泡を発生させるようにしてあるため、上記高速高電圧パルスの電気的な制御を行うことで、上記微小気泡を発生させるための高速パルス放電を直接制御できることから、微小気泡の発生量の制御性を優れたものとすることができる。  
（５）電極対を設ける位置を、浮上分離槽における被処理水入口における被処理水の流路を挟む位置とした構成とすることにより、浮上分離槽に供給される被処理水の全量に対して確実に微小気泡を分散させることができ、被処理水中の懸濁物の分離効率をより高いものとすることができる。
【発明を実施するための最良の形態】
【００１６】
以下、本発明を実施するための最良の形態を図面を参照して説明する。
【００１７】
図１及び図２は本発明の排水の処理方法及び装置の実施の一形態として、石炭焚き又はオイル焚きのボイラ１の燃焼排ガス２を排ガス処理設備にて水洗浄する際に発生するタール等が懸濁された洗浄排水３を被処理水として処理する場合を示すもので、該被処理水としての洗浄排水３を受け入れて所要期間貯留できるようにしてある浮上分離槽４の所要個所に、少なくとも一組の対をなす電極（電極対）５ａと５ｂを設け、且つ該各電極５ａ，５ｂに、高速高電圧パルスを印加するための電源６を接続してなる構成を備えて、上記浮上分離槽４内に貯留される洗浄排水３中に、上記各電極５ａ，５ｂ間における高速パルス放電に伴う微小気泡７発生させて、この微小気泡７により、上記洗浄排水３中に含まれている上記タール等の懸濁物を浮上分離させるようにする。
【００１８】
詳述すると、上記ボイラ１の排ガス処理設備は、たとえば、上記ボイラ１より燃焼排ガス２を導く排ガスライン８上に、廃熱回収ボイラ９の熱交換部９ａと、燃焼排ガス２を水洗浄するためのスプレー塔１０と、燃焼排ガス２の温度を低下させるためのガス冷却器１１とを順に備えた構成としてある。
【００１９】
上記スプレー塔１０は、後述する沈殿槽１２における沈降分離処理後に上澄み液として回収される沈降分離処理水３ａを洗浄水として使用して、上記燃焼排ガス２を水洗浄するようにしてある。
【００２０】
上記スプレー塔１０より燃焼排ガス２の洗浄に供された後の洗浄排水３を取り出す洗浄排水取出ライン１３の下流側には、上記沈殿槽１２が設けてあり、上記洗浄排水３を上記浮上分離槽４へ送る前に、該沈殿槽１２にて、上記洗浄排水３中に含まれる懸濁物のうち、重質タール等の比重の大きい粒子を予め沈降分離処理できるようにしてある。したがって、上記沈殿槽１２からは、上記洗浄排水３より上記比重の大きい粒子が分離除去されてはいるが、上記沈降分離処理では分離し得ない軽質タール等の懸濁物を含んだ状態の沈降分離処理水３ａと、重質タール等を含む沈殿槽汚泥（沈降分離処理汚泥）１４を、それぞれ回収できるようにしてある。
【００２１】
上記沈殿槽１２における沈降分離処理水３ａを回収する処理水回収部１２ａには、循環ポンプ１５を介して洗浄水循環ライン１６の上流側端部となる一端部が接続してあり、且つ該洗浄水循環ライン１６の下流側端部となる他端部を、上記スプレー塔１０に接続した構成として、上記循環ポンプ１５の運転により、沈殿槽１２で回収される沈降分離処理水３ａの一部を、洗浄水循環ライン１６を経て上記スプレー塔１０に燃焼排ガス２を洗浄するための洗浄水として用いることができるように循環供給させるようにしてある。
【００２２】
又、上記沈殿槽１２における上記処理水回収部１２ａには、沈降分離処理水回収ライン１７を介して上記浮上分離槽４の被処理水入口４ａを接続して、上記スプレー塔１０に洗浄水として循環供給する以外の余剰の沈降分離処理水３ａを、上記沈降分離処理水回収ライン１７を経て上記浮上分離槽４へ被処理水入口４ａより流入させることができるようにしてある。
【００２３】
更に、上記沈殿槽１２より沈殿槽汚泥１４を回収する汚泥回収ライン１８の下流側には、遠心分離機１９を設けて、該遠心分離機１９にて上記沈殿槽汚泥１４を遠心分離処理することで、上記重質タール等を含む固形分２０と、液体部分である遠心分離処理水３ｂとに固液分離できるようにしてあり、このうち遠心分離処理水３ｂは、図示しないポンプを備えた遠心分離処理水回収ライン２１を通して、上記沈降分離処理水回収ライン１７を経て上記浮上分離槽４へ導かれる沈降分離処理水３ａに混入させるようにしてある。
【００２４】
一方、上記遠心分離機１９より回収される上記重質タール等を含む沈殿槽汚泥１４の固形分２０は、上記ボイラ１へ送って焼却処理できるようにしてある。
【００２５】
上記浮上分離槽４は、下部所要位置、たとえば、側壁の下部位置に上記被処理水入口４ａを設けた構成としてある。更に、図２（イ）（ロ）に示す如く、上記電極対を形成させるための電極５ａと５ｂのうちの一方の電極としての中心部に所要径の貫通孔２３を備えた筒状の外周電極５ａの上記貫通孔２３の内側に、該貫通孔２３の内径よりも所要寸法小さい外径を有する他方の電極としての円柱形状の中心電極５ｂを軸心方向に沿わせて配置すると共に、該中心電極５ｂの所要個所を、たとえば、放射方向に延びる固定部材２４を介して上記外周電極５ａの対応する個所に絶縁状態で取り付けて、上記外周電極５ａと中心電極５ｂとの間に、筒形の液体の流路２５を設けてなるノズル２２を形成し、該ノズル２２を、上記浮上分離槽４における被処理水入口４ａに設置すると共に、該ノズル２２に対して上記沈降分離処理水回収ライン１７の下流側端部を接続した構成としてある。これにより、上記沈降分離処理水回収ライン１７より浮上分離槽４へ供給される上記沈降分離処理水３ａは、その全量が上記被処理水入口４ａに設けたノズル２２の両電極５ａと５ｂ間の流路２５を通過してから上記浮上分離槽４内へ流入するようにしてある。
【００２６】
更に、上記ノズル２２の外周電極５ａと中心電極５ｂには、高速高電圧パルスを印加するための電源６が接続してある。これにより、上記沈降分離処理水３ａが、沈降分離処理水回収ライン１７より上記ノズル２２の両電極５ａと５ｂの間の流路２５を経て上記浮上分離槽４へ流入するようにした状態で、上記電源６より上記ノズル２２の両電極５ａと５ｂに高速高電圧パルスを印加することで、該ノズル２２の両電極５ａと５ｂ間の流路２５を通過して上記浮上分離槽４へ流入させる沈降分離処理水３ａに対して高速パルス放電を行うことができるようにしてある。よって、上記高速パルス放電に伴う衝撃波で、水中に溶存している溶存気体を気化させたり、熱膨張させることによって微小な気泡を発生させると共に、上記高速パルス放電による水の蒸発によっても微小な気泡を発生させることで、上記浮上分離槽４に流入させる沈降分離処理水３ａの水中に、数十μｍから数百μｍ程度の直径を有する微小気泡７を存在させることができるようにしてある（なお、図１及び図２では、図示する便宜上、上記微小気泡７のサイズを大きく記載してある）。
【００２７】
又、上記浮上分離槽４には、上記ガス冷却器１１にてボイラ１の燃焼排ガス２を冷却する際に発生するドレン水２６を、ドレンライン２７を通して導いて、該浮上分離槽４に貯留される上記沈降分離処理水３ａに混入させることができるようにしてある。
【００２８】
したがって、上記浮上分離槽４内では、貯留される上記沈降分離処理水３ａ（上記遠心分離処理水３ｂ及びドレン水２６を含む）の水中に、上記ノズル２２の流路２５を通過する際に上記高速パルス放電によって発生させた微小気泡７を含んだ沈降分離処理水３ａを、被処理水入口４ａより所要流量で順次流入させることで、該浮上分離槽４内の被処理水に対して、上記微小気泡７を分散させることができるため、該浮上分離槽４内にて分散された微小気泡７により、上記沈降分離処理水３ａに含まれている軽質タール等の懸濁物の浮上分離処理を行うことができるようにしてある。
【００２９】
上記浮上分離槽４の上端部には、上記浮上分離処理によって固液分離されて浮上した改質タールを含む懸濁物のスカム（浮上物）２８を回収するための図示しないスカム回収装置が設けてあり、該スカム回収装置によって回収されるスカム２８は、上記ボイラ１へ送って焼却処理できるようにしてある。
【００３０】
上記浮上分離槽４における浮上分離処理によって軽質タールを含む懸濁物が分離除去された後の清浄化された処理水３ｃを取り出す処理水取出口の下流側には、ポンプ３０を備えた処理水ライン２９を介して蒸発缶３１が接続してある。
【００３１】
上記蒸発缶３１は、上記ボイラ１の燃焼排ガス２より廃熱の回収を行う上記廃熱回収ボイラ９で発生させる高温蒸気３３を循環流通させる伝熱管３２を備えてなる構成として、上記浮上分離槽４より処理水ライン２９を通して蒸発缶３１へ導かれる上記処理水３ｃを、上記廃熱回収ボイラ９で発生させた高温蒸気３３を熱源として伝熱管３２壁を介し間接加熱して、該処理水３ｃ中の水分及びその他の蒸発分３４を蒸発させることで、非蒸発成分を凝縮させて濃縮液３５として回収できるようにしてある。なお、上記蒸発缶３１より回収される濃縮液３５は、上記ボイラ１へ供給して燃焼処理させる構成としてもよい。
【００３２】
一方、上記蒸発缶３１で発生する水分及びその他の蒸発分３４は、蒸発分ライン３６を通して上記ボイラ１とスプレー塔１０との間の排ガスライン８へ導いて、該部分の排ガスライン８を流通する燃焼排ガス２に混入させることで、水分を上記排ガスライン８上に設けてある上記スプレー塔１０、あるいは、ガス冷却器１１で回収して循環利用できるようにしてある。
【００３３】
３７は上記廃熱回収ボイラ９より蒸発缶３１の伝熱管３２へ高温蒸気３３を供給する蒸気供給ライン、３８は上記蒸発缶３１にて処理水３ｃの加熱用熱源に供された後の温度低下した蒸気や凝縮水３３ａを上記廃熱回収ボイラ９へ戻すためのポンプ３９付きの戻しラインである。
【００３４】
以上の構成としてある排水の処理装置を用いて、上記ボイラ１の燃焼排ガス２をスプレー塔１０で水洗浄することで発生するタール等が懸濁された洗浄排水３を処理する場合は、該洗浄排水３を、先ず、上記沈殿槽１２に供給して沈降分離処理すると、重質タール等の比重の大きい粒子が、沈殿槽汚泥１４として分離除去される。
【００３５】
次に、上記沈降分離処理後に沈殿槽１２より回収される軽質タール等の懸濁物が懸濁された状態の沈降分離処理水３ａを、上記沈殿槽汚泥１４に含まれていた水分を遠心分離機１９で回収して得られる遠心分離処理水３ｂを混入させた状態で、上記浮上分離槽４へ被処理水入口４ａに設けてあるノズル２２の外周電極５ａと中心電極５ｂとの間の流路２５を通して供給するときに、上記各電極５ａと５ｂに電源６より高速高電圧パルスを印加して、該各電極５ａと５ｂ間に高速パルス放電を発生させると、該ノズル２２の流路２５を流通して上記浮上分離槽４内へ流入する上記沈降分離処理水３ａの水中には、上記高速パルス放電によって発生した微小気泡７が確実に含まれるようになるため、上記浮上分離槽４に貯留された上記沈降分離処理水３ａの全量に対して上記微小気泡を分散されるようになる。これにより、上記沈降分離処理水３ａの水中では、該沈降分離処理水３ａ中に懸濁されている軽質タール等の懸濁物に、上記微小気泡７が付着、あるいは、タールの場合はその内部に上記微小気泡７が入り込むようにして付着することで、該微小気泡７を含めた懸濁物の比重が小さくなるため、懸濁物の浮上分離が行われるようになる。
【００３６】
よって、浮上したスカム２８を回収して分離除去することで、上記浮上分離槽４からは、上記沈降分離処理水３ａ中に懸濁していた懸濁物が分離除去されて清浄化された処理水３ｃを回収することができるようになる。
【００３７】
更に、上記実施の形態では、上記回収された処理水３ｃを、蒸発缶３１へ供給し、上記ボイラ１に付設してある廃熱回収ボイラ９にて発生させた高温蒸気３３を熱源として蒸留することで、水分及びその他の蒸発分３４と、非蒸発分を濃縮させてなる濃縮液３５を分離させるようにしてある。
【００３８】
このように、本発明の排水の処理方法及び装置によれば、ボイラ１の燃焼排ガス２の水洗浄で生じる洗浄排水３を予め沈降分離処理してなる沈降分離処理水３ａに懸濁している軽質タール等の懸濁物を浮上分離処理する際、ノズル２２に設けた外周電極５ａと中心電極５ｂからなる電極対の間で、高速パルス放電を行わせることで、上記懸濁物の浮上分離を行わせるために必要とされる微小気泡７を発生させることができる。
【００３９】
したがって、従来の加圧浮上分離処理を行なう場合に必要とされていた、加圧タンクやその他の加圧用機器を不要にできる。又、従来の浮上分離処理を行なう際に懸濁物の付着による詰まりや摩耗が懸念されていた空気ノズルも不要にすることができる。
【００４０】
しかも、上記各電極５ａと５ｂの間で高速パルス放電を行うと、該高速パルス放電が水分中のＯＨに作用して、少量のＯＨラジカルやオゾンの微小バブルが、各電極５ａ，５ｂの表面と、それに接触している液体面との間で生じるため、懸濁物がタールのような付着性を有するものであっても、上記各電極５ａ，５ｂが懸濁物の付着の影響を受ける虞を抑制することができる。
【００４１】
更に、上記各電極５ａ，５ｂに電源６より高速高電圧パルスを与えることで発生させる高速パルス放電という電気放電により、上記微小気泡７を発生させるようにしてあるため、上記電源６より各電極５ａ，５ｂに与える高速高電圧パルスの制御により、上記微小気泡７を発生させるための各電極５ａ，５ｂ間の高速パルス放電を直接制御できることから、微小気泡７の発生量の制御性を優れたものとすることができる。
【００４２】
なお、上記各電極５ａと５ｂの間での高速パルス放電による微小気泡７の発生は、主に、衝撃波、熱膨張、水の蒸発によるものであって、水の電気分解が生じるとしてもその量を抑えることができるため、水素や酸素が大量に発生する虞はない。
【００４３】
なお、本発明は、上記実施の形態にのみ限定されるものではなく、浮上分離槽４の被処理水入口４ａに設けるノズル２２は、中心部とその外周に電極５ｂと５ａを備えてなる構成として示したが、上記浮上分離槽４へ流入させる被処理水の流路を挟むようにして電極対を設けて、該流路を流通して浮上分離槽４へ流入する被処理液に対して上記電極対の間で高速パルス放電を行うことができるようにしてあれば、たとえば、一対の平行平板電極を設けて該各電極間に扁平な流路を形成する等、流路形状及び電極形状は適宜変更してもよい。
【００４４】
又、浮上分離槽４の内部における被処理水入口４ａの付近や、浮上分離槽４の内部の下部所要位置に、上記高速パルス放電を行わせるための電極対を、一組、あるいは、浮上分離槽４のサイズに応じて複数組設けるようにしてもよい。
【００４５】
本発明の排水の処理方法及び装置は、懸濁物の浮上分離が望まれる排水であれば、いかなる排水を被処理水として上記浮上分離槽４で浮上分離処理を行なわせる場合に適用してもよいこと、その他本発明の要旨を逸脱しない範囲内で種々変更を加え得ることは勿論である。
【図面の簡単な説明】
【００４６】
【図１】本発明の排水の処理方法及び装置の実施の一形態を示す概要図である。
【図２】図１の装置の浮上分離槽の被処理水入口部分を拡大して示すもので、（イ）は切断側面図、（ロ）は（イ）のＡ−Ａ方向矢視図である。
【符号の説明】
【００４７】
３  洗浄排水（被処理水）
３ａ  沈降分離処理水（被処理水）
４  浮上分離槽
４ａ  被処理水入口
５ａ  外周電極（電極）
５ｂ  中心電極（電極）
６  電源
７  微小気泡
２５  流路
【図１】
2010012386.tif 000003
【図２】
2010012386.tif 000004